(57)【要約】      （修正有）【課題】冷却水の供給系統および電力用半導体素子の電気的接続を簡素な構造とした電力変換装置を提供する。【解決手段】主パイプ２１の一方の端部の側および主パイプ２２の一方の端部側は、冷却水を循環させるポンプ等を含む冷却水循環システムが流体的に接続されている。ポンプから出力された冷却水は、主パイプ２１、分流パイプ２３，２５、ヒートシンク３０、分流パイプ２６、ヒートシンク３０、分流パイプ２７，２９および主パイプ２２の経路を還流する。主パイプ２１，２２は、分流パイプ２３，２５，２６，２７，２９および２つのヒートシンク３０からなる冷却水の複数の分岐経路を有している。したがって、主パイプ２１，２２が延伸する方向に沿って配設されたヒートシンク３０には、冷却水がそれぞれ循環する。【選択図】図１
2020089122.tif 000002
【特許請求の範囲】
【請求項１】
冷却水をそれぞれ通流可能とする導電性の第１ヒートシンクおよび第２ヒートシンクと、
前記第１ヒートシンクと前記第２ヒートシンクとを流体的に接続するとともに電気的に接続する導電性の第１パイプと、
前記第１ヒートシンクに一方の電極で接続された第１電力用半導体素子と、
前記第２ヒートシンクに一方の電極で接続された第２電力用半導体素子と、
を備えた電力変換装置。
【請求項２】
前記冷却水をそれぞれ通流可能とする導電性の第３ヒートシンクおよび第４ヒートシンクと、
前記第３ヒートシンクと前記第３ヒートシンクとを流体的に接続するとともに電気的に接続する導電性の第２パイプと、
をさらに備え、
前記第１電力用半導体素子は、前記第３ヒートシンクに他方の電極で接続され、
前記第２電力用半導体素子は、前記第４ヒートシンクに他方の電極で接続された請求項１記載の電力変換装置。
【請求項３】
前記第１電力用半導体素子および前記第２電力用半導体素子は、サイリスタであり、
前記第１電力用半導体素子のアノード電極は、前記第１ヒートシンクに電気的に接続され、
前記第１電力用半導体素子のカソード電極は、前記第３ヒートシンクに電気的に接続され、
前記第２電力用半導体素子のアノード電極は、前記第４ヒートシンクに電気的に接続され、
前記第２電力用半導体素子のカソード電極は、前記第２ヒートシンクに電気的に接続された請求項２記載の電力変換装置。
【請求項４】
前記第１ヒートシンクを介して電気的に接続された第３電力用半導体素子と、
前記第２ヒートシンクを介して電気的に接続された第４電力用半導体素子と、
をさらに備えた請求項１〜３のいずれか１つに記載の電力変換装置。
【請求項５】
前記第１ヒートシンクに前記冷却水を供給する第３パイプと、
前記第２ヒートシンクから前記冷却水を排出する第４パイプと、
をさらに備え、
前記第１パイプの内径は、前記第３パイプの内径および前記第４パイプの内径に等しい請求項１〜４のいずれか１つに記載の電力変換装置。
【発明の詳細な説明】
【技術分野】
【０００１】
本発明の実施形態は、電力変換装置に関する。
【背景技術】
【０００２】
大容量の電力変換装置では、スイッチング素子等の電力用半導体素子の発熱を抑制するため、水冷式の冷却システムが用いられることがある。冷却水は、ヒートシンク内に埋め込まれたパイプを通流し、圧接型パッケージに収納された電力用半導体素子を冷却する。
【０００３】
電力用半導体素子は、変換回路内で複数個用いられることが多く、回路形式によって、隣接する電力用半導体素子同士を電気的に接続したり、逆に絶縁したりすることがある。
【０００４】
電力用半導体素子への冷却水の供給系統は、電力用半導体素子の電気的な接続とは独立して別個に設計されるので、構造的に冗長な部分が生じる場合がある。そのため電力変換装置の構造が複雑になることがある。
【先行技術文献】
【特許文献】
【０００５】
【特許文献１】特開２００５−２６０１４２号公報
【発明の概要】
【発明が解決しようとする課題】
【０００６】
実施形態は、冷却水の供給系統および電力用半導体素子の電気的接続を簡素な構造とした電力変換装置を提供する。
【課題を解決するための手段】
【０００７】
実施形態に係る電力変換装置は、冷却水をそれぞれ通流可能とする導電性の第１ヒートシンクおよび第２ヒートシンクと、前記第１ヒートシンクと前記第２ヒートシンクとを流体的に接続するとともに電気的に接続する導電性の第１パイプと、前記第１ヒートシンクに一方の電極で接続された第１電力用半導体素子と、前記第２ヒートシンクに一方の電極で接続された第２電力用半導体素子と、を備える。
【発明の効果】
【０００８】
本実施形態では、冷却水の供給系統および電力用半導体素子の電気的接続を簡素な構造とした電力変換装置が実現される。
【図面の簡単な説明】
【０００９】
【図１】実施形態に係る電力変換装置の一部を例示する模式図である。
【図２】図２（ａ）は、実施形態の電力変換装置の一部を例示する模式的な斜視図である。図２（ｂ）は、実施形態の電力変換装置の一部を例示する模式的な正面図である。
【図３】実施形態の電力変換装置の一部を例示するブロック図である。
【図４】比較例の電力変換装置の一部を例示する模式的な正面図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
図１は、実施形態に係る電力変換装置の一部を例示する模式図である。
図１には、電力変換装置１０に含まれる水冷配管の簡略化された系統図が示されている。図１には、電力変換装置１０のスイッチング素子（電力用半導体素子）３１、スイッチング素子３１を冷却するための配管およびヒートシンク３０が示されている。なお、図１は、配管の系統図であるため、スイッチング素子３１等の電気的な接続は示されていない。
【００１２】
図１に示すように、実施形態の電力変換装置１０は、主パイプ２１，２２と、分流パイプ２３，２５，２６，２７，２９と、ヒートシンク３０と、スイッチング素子３１と、を備える。
【００１３】
主パイプ２１は、分流パイプ２３に流体的に接続されている。分流パイプ２３は、コネクタ２４を介して分流パイプ２５に流体的に接続されている。分流パイプ２５は、ヒートシンク３０を介して分流パイプ２６に流体的に接続されている。分流パイプ２６は、ヒートシンク３０を介して、分流パイプ２７に流体的に接続されている。分流パイプ２７は、コネクタ２８を介して、分流パイプ２９に流体的に接続されている。分流パイプ２９は、主パイプ２２に流体的に接続されている。
【００１４】
ヒートシンク３０には、分流パイプ２５，２６および分流パイプ２６，２７とそれぞれ流体的に接続するパイプ（図示せず）が埋め込まれている。ヒートシンク３０に埋め込まれたパイプに冷却水が流れることによって、ヒートシンク３０は冷却される。したがって、ヒートシンク３０に熱的に結合されたスイッチング素子３１は、効果的に冷却される。
【００１５】
主パイプ２１の一方の端部の側および主パイプ２２の一方の端部側は、冷却水を循環させるポンプ等を含む冷却水循環システムが流体的に接続されている。ポンプから出力された冷却水は、主パイプ２１、分流パイプ２３，２５、ヒートシンク３０、分流パイプ２６、ヒートシンク３０、分流パイプ２７，２９、および主パイプ２２の経路を還流する。
【００１６】
主パイプ２１，２２の間には、分流パイプ２３，２５、ヒートシンク３０、分流パイプ２６、ヒートシンク３０、および分流パイプ２７，２９の冷却水の流れる経路が複数並列に接続されている。つまり、主パイプ２１，２２は、分流パイプ２３，２５，２６，２７，２９および２つのヒートシンク３０からなる冷却水の複数の分岐経路を有している。したがって、主パイプ２１，２２が延伸する方向に沿って配設されたヒートシンク３０には、冷却水がそれぞれ循環することができる。
【００１７】
分流パイプ２３，２５，２６，２７，２９のうち分流パイプ２６は、導電性を有する材料で形成されている。たとえば分流パイプ２６は、銅やアルミ、ＳＵＳ等の金属材料で形成されている。ヒートシンク３０は、高熱伝導度を実現するために銅やアルミ等の金属材料で形成されており、したがって、ヒートシンク３０は、導電性を有する。そのため、分流パイプ２６によって流体的に接続された２つのヒートシンク３０は、電気的にも接続されている。なお、他の分流パイプ２３，２５，２７，２９は、絶縁性の材料、たとえばポリテトラフルオロエチレン(PolyTetraFluoroEthylene、ＰＴＦＥ、またはテフロン（登録商標））で形成されている。したがって、ヒートシンク３０およびスイッチング素子３１は、主パイプ２１，２２とは電気的に絶縁されている。
【００１８】
分流パイプ２３，２５，２６，２７，２９の内径はほぼ同一に設定されている。そのため、冷却水は、分流パイプ２３，２５，２６，２７，２９をほぼ同一の圧力で通流し、分流パイプ２３，２５，２６，２７，２９におけるヘッドロスは、ほぼ同一とすることができる。
【００１９】
スイッチング素子３１は、主パイプ２１，２２の延伸する方向に沿って配設された隣接する２つのヒートシンク３０の間に設けられている。スイッチング素子３１は、圧接型パッケージに収納されており、ヒートシンク３０に接する面は、電極が形成されている。この図は、配管の系統図のため、電気的な接続は示されていないが、スイッチング素子３１の両方の電極は、２つのヒートシンク３０にそれぞれ電気的に接続されている。
【００２０】
主パイプ２１，２２の延伸する方向に配設され、隣接するスイッチング素子３１は、ヒートシンク３０を介して、電気的に接続されている。分流パイプ２３，２５，２６，２７，２９の延伸する方向に配設されたスイッチング素子３１は、分流パイプ２６によって電気的に接続されている。つまり、主パイプ２１，２２の延伸する方向に配設されたスイッチング素子３１は、ヒートシンク３０を介して、直列に接続されており、分流パイプ２３，２５，２６，２７，２９の延伸する方向に配設されたスイッチング素子３１同士は、ヒートシンク３０および分流パイプ２６を介して、並列に接続されている。
【００２１】
図２（ａ）は、実施形態の電力変換装置の一部を例示する模式的な斜視図である。図２（ｂ）は、実施形態の電力変換装置の一部を例示する模式的な正面図である。
図２（ａ）および図２（ｂ）に示すように、分流パイプ２５，２６，２７の延伸する方向に配設されたスイッチング素子３１は、分流パイプ２６によって、流体的に接続されるとともに、電気的に接続されている。なお、図２（ａ）において、ヒートシンク３０を介して直列に接続されたスイッチング素子３１は、絶縁性のフレーム１２に固定され、モジュールとして電力変換器を構成する。
【００２２】
図３は、実施形態の電力変換装置の一部を例示するブロック図である。
図３に示すように、電力変換装置１０は、変換回路１０ｃと、リアクトル３ａ，３ｂと、を含む。変換回路１０ｃは、端子１０ａ，１０ｂを介して、リアクトル３ａ，３ｂに直列に接続され、変圧器２を介して、電力系統１に接続される。電力系統１は、たとえば三相の交流電力系統である。この例では、電力変換装置１０は、サイリスタ位相制御リアクトル（Thyristor Controlled Reactor、ＴＣＲ）である。
【００２３】
変換回路１０ｃは、複数のスイッチング素子３１を含む。複数のスイッチング素子３１のうち、２つのスイッチング素子３１は、逆並列に接続されている。スイッチング素子３１は、サイリスタであり、逆並列に接続されるとは、一方のサイリスタのアノード電極と他方のサイリスタのカソード電極とを接続し、一方のサイリスタのカソード電極と他方のサイリスタアノード電極とを接続することをいう。
【００２４】
スイッチング素子３１が逆並列に接続された並列回路（以下、逆並列回路という）は、同様にスイッチング素子３１が逆並列に接続された逆並列回路に直列に接続されている。この例では、４つの逆並列回路が直列接続されているが、端子１０ａ，１０ｂ間に印加される電圧に応じて、適切な数の逆並列回路が直列に接続される。
【００２５】
逆並列回路には、スナバ回路３２およびＦＶ監視回路３３がそれぞれ並列に接続されている。スナバ回路３２は、スイッチング素子３１のアノード−カソード間への過電圧印加や過度なｄｖ／ｄｔを抑制するために設けられる。ＦＶ監視回路３３は、スイッチング素子３１が正常にオンしているか否かを監視する。ＦＶ監視回路３３が監視するスイッチング素子３１のオン電圧は、たとえば、光信号に変換されて、図示しない制御装置に送信される。制御装置では、電力系統１の電圧、電力変換装置１０に流れる電流およびＦＶ監視回路３３によって検出されたオン電圧にもとづいて、制御信号を生成する。制御装置は、生成した制御信号をたとえば光信号に変換して、スイッチング素子３１のゲート駆動回路（図示せず）に送信する。
【００２６】
このように、上述した電力変換装置１０では、スイッチング素子３１が逆並列に接続されるとともに、逆並列回路が多段に直列接続されている。大電力を扱う電力変換装置１０では、各スイッチング素子３１は、冷却システムによって冷却される。すでに説明したように、圧接型パッケージに収納されたスイッチング素子３１は、両側の電極に電気的に接続されたヒートシンク３０を流れる冷却水によって冷却される。
【００２７】
実施形態の電力変換装置１０の効果について、比較例の電力変換装置と比較しつつ説明する。
図４は、比較例の電力変換装置の一部を例示する模式的な正面図である。
図４に示すように、比較例の電力変換装置１１０は、分流パイプ２５，１２６，２７と、ヒートシンク３０と、スイッチング素子３１と、接続部材１３０と、を備える。なお、図示されていない分流パイプ２５，２７の接続先は、実施形態の場合と同様に分流パイプ等をさらに介して、主パイプに流体的に接続されている。比較例の電力変換装置１１０では、分流パイプ１２６および接続部材を備える点で実施形態の場合と相違し、その他の点では実施形態の場合と同一である。
【００２８】
比較例の電力変換装置１１０では、分流パイプ１２６は、分流パイプ２５，１２６，２７の延伸する方向に配設された２つのヒートシンク３０間を流体的に接続する。この分流パイプ１２６は、絶縁性の材料で形成されており、たとえばＰＴＦＥで形成されている。
【００２９】
分流パイプ２５，１２６，２７の延伸する方向に配設されたヒートシンク３０は、接続部材１３０によって接続されている。接続部材１３０は、銅等の金属材料で形成されており、高い導電性を有する。したがって、分流パイプ２５，１２６，２７の延伸する方向に配設されたヒートシンク３０は、電気的に接続され、ヒートシンク３０に電気的に接続されたスイッチング素子３１は、接続部材１３０によって逆並列に接続される。
【００３０】
このような比較例の構成では、分流パイプ２５，１２６，２７の延伸する方向に配設されたスイッチング素子３１同士が電気的に接続される場合と、電気的に絶縁される場合とを、接続部材１３０の有無によって切り替えることができるとの利点を有する。一方で、接続部材１３０を設ける場合には、接続部材１３０が必要となるとともに、２つのヒートシンク３０にそれぞれねじ止めする等の接続作業が追加されることになる。
【００３１】
これに対して、実施形態の電力変換装置１０では、分流パイプ２５，２６，２７の延伸する方向に配設されたスイッチング素子３１同士を電気的に接続する場合に、導電性を有する分流パイプ２６を用いることで、接続部材１３０を省略することができ、接続部材１３０の接続工程を不要とすることができる。
【００３２】
導電性の高い材料は、一般に熱伝導度も高いので、分流パイプ２６の断面積を適切に設定することによって、通流する冷却水の温度上昇を制御することが可能である。たとえば、分流パイプ２６が冷却水によって直接冷却されることによって、分流パイプ２６の電流密度を高くすることができる。したがって、分流パイプ２６の断面積を、比較例の場合の接続部材１３０の断面積よりも小さく設定することが可能になり、部材の削減とともに、材料費自体も低減させることができる。
【００３３】
また、分流パイプ２６の内径は、他の分流パイプ２３，２５，２７，２９の内径と等しくされている。これによって、通流する冷却水の圧力を他の分流パイプと等しくすることができ、したがって、実施形態の電力変換装置の分流パイプ２６においても、比較例の場合の分流パイプ１２６のヘッドロスと同等とすることができる。
【００３４】
上述では、電力変換装置は、ＴＣＲであるとしたが、２つのサイリスタが逆並列に接続される変換器の回路を有するものであれば、これに限らない。たとえば、交流系統に直列に挿入する交流断路器や、他励式交直変換器等であってもよい。また、スイッチング素子は、逆並列に接続される場合に限らず、たとえば電流容量を増大させるために、順方向のスイッチング素子を並列に接続した回路を有する変換器であってもよい。
【００３５】
また、直列の接続されたすべてのスイッチング素子が、それぞれ並列または逆並列に接続されていなくてもよい。たとえば、直列に接続されたスイッチング素子のうち端部のスイッチング素子のアノード電極およびカソード電極のみが接続されるような場合等であってもよい。このような場合には、導電性を有する分流パイプは、電気的に接続されるヒートシンクのみに用いられ、他の分流パイプは、絶縁性の材質のものが用いられる。
【００３６】
スイッチング素子もサイリスタに限らず、ＩＧＢＴやＭＯＳＦＥＴ等の自己消弧形のデバイスであってもよいし、ダイオードであってもよいし、複数種類の電力用半導体素子が混在してもよい。
【００３７】
以上説明した実施形態によれば、冷却水の供給系統およびスイッチング素子の電気的接続を簡素な構造とした電力変換装置を実現することができる。
【００３８】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００３９】
１  電力系統、２  変圧器、３ａ，３ｂ  リアクトル、１０  電力変換装置、１２  フレーム、２１，２２  主パイプ、２３，２５，２６，２７，２９  分流パイプ、２４，２８  コネクタ、３０  ヒートシンク、３１  スイッチング素子、３２  スナバ回路、３３  ＦＶ監視回路
【図１】
2020089122.tif 000003
【図２】
2020089122.tif 000004
【図３】
2020089122.tif 000005
【図４】
2020089122.tif 000006